【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
モノのインターネット(IoT)ネットワーク内の制御されたリソースアクセスのための方法であって、
要求ノードが前記IoTネットワーク内で第1の制御されたリソースに対するアクセスを要求するステップであって、前記第1の制御されたリソースに対するアクセスが認証手順を周期的に完了するための要件を含む、要求するステップと、
第1のゲートキーパーノードから受信されたチャレンジメッセージに応答するステップと、
前記チャレンジメッセージに正確に応答することに応えて、前記第1の制御されたリソースに対する前記要求されたアクセスを受け、前記要求ノードが1つまたは複数の逐次チャレンジメッセージに正確に応答することに応えて、前記第1のゲートキーパーノードにおいて前記認証手順を周期的に完了するための前記要件を低減するステップと
を含む方法。
【請求項２】
前記チャレンジメッセージおよび前記チャレンジメッセージに対する前記応答が前記IoTネットワークに関連付けられた制御チャネルを介して交換される、請求項1に記載の方法。
【請求項３】
前記要求ノードが前記チャレンジメッセージに正確に応答することに応えて、前記第1のゲートキーパーノードが前記要求ノードに関連付けられた信頼レベルを増大するか、または、
前記認証手順を周期的に完了するための前記要件を低減するために、後続のチャレンジメッセージを前記要求ノードに送信する前の間隔を増大するか、または、
前記要求ノードからの前記チャレンジメッセージに対して不正確な応答を受信することに応えて、前記要求ノードに関連付けられた信頼レベルを低減する、請求項1に記載の方法。
【請求項４】
前記要求ノードが、前記チャレンジメッセージに不正確に応答すること、および1つまたは複数の逐次チャレンジメッセージに対して不正確に応答することに応えて、前記第1のゲートキーパーノードが、前記要求ノードが前記IoTネットワークを介して通信することを一時的に阻止するステップ、または、
前記要求ノードが、前記チャレンジメッセージに不正確に応答すること、および1つまたは複数の逐次チャレンジメッセージに対して経時的に不正確に応答し続けることに応えて、前記要求ノードが前記IoTネットワークを介して通信することを永続的に禁じるステップ、または、
前記IoTネットワークが新しいネットワークアクセスレイヤに移動することに応えて、前記要求ノードに割り当てられた信頼レベルに従って、前記認証手順を周期的に完了するための前記要件を調整するステップ、
をさらに含む、請求項1に記載の方法。
【請求項５】
第2のゲートキーパーノードから第2の制御されたリソースに対するアクセスを要求するステップであって、前記第2のゲートキーパーノードが、前記要求ノードと、前記要求ノードと1つまたは複数の以前の相互作用を有する信頼されたノードとの間の信頼レベルだけに基づいて、前記第2の制御されたリソースに対するアクセスを前記要求ノードに付与するかどうかを決定する、要求するステップ
をさらに含む、請求項1に記載の方法。
【請求項６】
第2のIoTネットワークが、前記第2の制御されたリソース、前記第2のゲートキーパーノード、または前記要求ノードとの前記1つもしくは複数の以前の相互作用を有する前記信頼されたノードのうちの1つもしくは複数を含む、請求項5に記載の方法。
【請求項７】
前記要求ノードに関連付けられた前記信頼レベルが、各々がそれぞれの信頼レベルを有するノードに関連付けられた、許可されたリソースアクセスを定義するトラストヒューリスティック論理モデル内のN個の信頼レベルのうちの1つを含む、請求項5に記載の方法。
【請求項８】
前記第1のゲートキーパーノードが、前記第1の制御されたリソースに対するアクセスを調整する調整ノードを含むか、または、
前記第1のゲートキーパーノードが、前記要求ノードと前記第1の制御されたリソースに対するアクセスを調整する調整ノードとの間でメッセージを中継する中間ノードを含む、
請求項1に記載の方法。
【請求項９】
前記第1の制御されたリソースが、消費率以上の生産率を有する無限リソース、または、生産率を超える消費率を有する有限リソースを含む、請求項1に記載の方法。
【請求項１０】
前記第1の制御されたリソースが、消費率を超える生産率を有する有限リソースを含み、前記第1のゲートキーパーノードが、前記有限リソースに対して割り振られたアクセスを有する中間ノードを含み、前記中間ノードに割り振られた前記アクセスが、前記中間ノードが必要とする第1の部分と、1つまたは複数の要求ノードに供給され得る余剰部分とを含む、請求項9に記載の方法。
【請求項１１】
前記第1の制御されたリソースに対する前記アクセスを要求するステップが、
それに割り振られた前記有限リソースの総余剰部分を決定するために、前記有限リソースに対して割り振られたアクセスを有する1つまたは複数の中間ノードに接触するステップと、
それに割り振られた前記有限リソースの前記総余剰部分が、前記要求ノードが必要とする前記有限リソースの量を満たすか、またはそれを超えると決定することに応えて、前記要求ノードが必要とする量の前記有限リソースを供給することを前記1つまたは複数の中間ノードに要求するステップと
をさらに含む、請求項10に記載の方法。
【請求項１２】
前記チャレンジメッセージに応答するステップが、
前記要求ノードが必要とする量の前記有限リソースを供給することを前記1つまたは複数の中間ノードに要求することに応えて、前記チャレンジメッセージを前記1つまたは複数の中間ノードから受信するステップと、
前記チャレンジメッセージに対する正確な応答を各中間ノードに送信することに応えて、前記必要とされる量の前記有限リソースを前記1つまたは複数の中間ノードから受信するステップと
をさらに含む、請求項11に記載の方法。
【請求項１３】
要求ノードとゲートキーパーノードとを備え、前記要求ノードは、IoTネットワーク内の制御されたリソースに対するアクセスを要求するための手段であって、前記制御されたリソースに対するアクセスが認証手順を周期的に完了するための要件を含む、要求するための手段と、
前記ゲートキーパーノードから受信されたチャレンジメッセージに応答するための手段と、
前記チャレンジメッセージに正確に応答することに応えて、前記制御されたリソースに対する前記要求されたアクセスを受けるための手段であって、前記IoTデバイスが1つまたは複数の逐次チャレンジメッセージに正確に応答することに応えて、前記ゲートキーパーノードが前記認証手順を周期的に完了するための前記要件を削減する、受けるための手段と
を備えた、モノのインターネット(IoT)ネットワーク。
【請求項１４】
コンピュータ実行可能命令を記録したコンピュータ可読記憶媒体であって、処理モジュールにより実行されたとき、請求項1乃至12の何れか1項に記載の方法を実施する、コンピュータ可読記憶媒体。
【請求項１５】
モノのインターネット(IoT)ネットワーク内のリソースアクセスを制御するための方法であって、
ゲートキーパーノードにおいて、前記IoTネットワーク内の制御されたリソースにアクセスするための要求を要求ノードから受信するステップであって、前記制御されたリソースに対するアクセスが認証手順を周期的に完了するための要件を含む、受信するステップと、
チャレンジメッセージを前記要求ノードに送信するステップと、
前記要求ノードから前記チャレンジメッセージに対する応答を受信するステップと、
前記チャレンジメッセージに対して前記受信された応答に基づいて、前記制御されたリソースに対するアクセスを前記要求ノードに付与するかどうかを決定するステップであって、前記ゲートキーパーノードが、前記チャレンジメッセージに対して前記受信された応答が正確であったかどうかに基づいて、前記要求ノードが前記認証手順を周期的に完了するための前記要件をさらに調整する、決定するステップと
を含む方法。